(57)【特許請求の範囲】
【請求項１】
額縁の枠（６）の前面に着脱自在に嵌め込み、絵画、版画、写真等を保護するための透明な板状の保護板（１）の周囲の端の部分に接着剤（１３）を塗布して、ポリエチレンシートにナイロンをコーティングした複合固定シート（１４）のナイロン面を接着固定すると共に、この保護板の周囲に固定された複合固定シートのポリエチレンの面に前記絵画、版画、写真等を覆うための密閉シート（３）としてポリエチレンまたはポリエチレンとポリプロピレンの複合シートのポリエチレン面を熱圧着接合（１５）にて取り付け前記額縁の枠に着脱自在に入れられる密閉式額縁の密閉構造。
【請求項２】
透明な板状の保護板（１７）で構成される立法体や直方体または筒状の飾り箱（１６）の上部または下部の開放した保護板の端の部分に接着剤（１３）を塗布して、ポリエチレンシートにナイロンをコーティングした複合固定シート（２４）のナイロン面を接着固定すると共に、この保護板の周囲に固定された複合固定シートのポリエチレンの面に密閉シート（２５）としてポリエチレンまたはポリエチレンとポリプロピレンの複合シート（２５）のポリエチレン面を熱圧着接合にて取り付けて立方体または直方体または筒状の飾り箱の内部を密閉する密閉式飾り箱の密閉構造。
【発明の詳細な説明】
【技術分野】
【０００１】  本発明は美術品や装飾品を入れて飾るための密閉式額縁や飾り箱の密閉構造に関するものである。
【背景技術】
【０００２】  従来、密閉式額縁や飾り箱の密閉構造は保護板の端の部分に密閉構造を維持するためのシートを接着剤で固定する方法が採用されてきた。しかし、保護板とシートの接着面積が充分に確保出来ず接着強度が弱く、また、接着に時間が掛かる上、製作にばらつきが多く接着部の綺麗さや製品としての安定度、信頼性に欠ける。また、難接着性素材例えば、アクリル板とポリエチレンやポリプロピレンシート等は接着剤では接合できないという問題点があった。（例えば、特願２０００−３０２９０６、特願２００２−７１０２９、特願２００３−１０２２１１）
【発明が解決しようとする課題】
【０００３】  従来の密閉式額縁や飾り箱の密閉構造部の保護板と密閉を維持するための密閉シートの接合方法としては接着剤による接合が主として採用されてきた。しかし、この方法では取り扱える保護板やシートの材質が接着可能な材質に限定されていた。すなわち、より接着しやすいナイロンや塩化ビニールシートが使用されてきた、しかし、塩化ビニールでは分解して塩素ガスが発生することやナイロンでは熱に弱い等の理由により密閉材としての使用はできず別の素材で密閉構造部に収める美術品への影響が少ない、ポリエチレンやポリプロピレン等またはポリエチレンやポリプロピレンにナイロンをコーティングした複合材シートが使用されているのが現状である。しかし、近年密閉シートの材質はポリプロピレンやポリエチレンシートの複合材等がより密閉性が好い素材として採用されるように成ってきた。その場合、これらのシート材は熱圧着接合が可能であるが、接着剤による直接接合は非常に困難であるという問題点があった。
【０００４】  本発明は、熱圧着接合が可能なポリエチレンまたはポリエチレンとポリプロピレンの複合シートを薄い板状のガラス製またはアクリル製の保護板に充分強度を確保した状態で接合し、しかも仕上げ精度、安定度を維持できる密閉式額縁や飾り箱の密閉構造を提供することを目的としている。
【０００５】
【議題を解決するための手段】
【０００６】  上記目的を達成するために、額縁の枠の前面に着脱自在に嵌め込み、絵画、版画、写真等を保護するための透明な板状の保護板の周囲の端の部分に接着剤を塗布して、ポリエチレンシートにナイロンをコーティングした複合固定シートのナイロン面を接着固定すると共に、この保護板の周囲に固定された複合固定シートのポリエチレンの面に前記絵画、版画、写真等を覆うための密閉シートとしてポリエチレンまたはポリエチレンとポリプロピレンの複合シートのポリエチレン面を熱圧着接合にて取り付け前記額縁の枠に着脱自在に入れられる密閉式額縁の密閉構造とする。
【０００７】透明な板状の保護板で構成される立法体や直方体または筒状の飾り箱の上部または下部の開放した保護板の端の部分に接着剤を塗布して、ポリエチレンシートにナイロンをコーティングした複合固定シートのナイロン面を接着固定すると共に、この保護板の周囲に固定された複合固定シートのポリエチレンの面に密閉シートとしてポリエチレンまたはポリエチレンとポリプロピレンの複合シートのポリエチレン面を熱圧着接合にて取り付けて立方体または直方体または筒状の飾り箱の内部を密閉する密閉式飾り箱の密閉構造とする。
【発明を実施するための形態】
【０００８】  発明の実施の形態を実施例にもとづき図面を参照して説明する。
【０００９】図１に示す実施例において、保護板１の端の周囲に密閉シート３を取り付けた密閉構造部に絵画、書、版画等８を収め額縁の枠６に入れて裏蓋７を閉めた状態を示す。
【００１０】図２において示される実施例において密閉構造部の詳細について示す。密閉構造部の保護板１の端の部分の周囲に接着剤１３を塗布して、この接着剤１３にポリエチレンシートにナイロンをコーティングした複合固定シート１４のナイロン面を接着固定して、複合固定シートの裏側のポリエチレン面にポリエチレンまたはポリエチレンとポリプロピレンの複合密閉シート３を熱圧着接合して取り付け密閉構造とした場合である。
【００１１】図３において示される実施例において保護板１７の端に接着剤１３を使用してポリエチレンシートにナイロンをコーティングした固定シート２４を取り付けて、この固定シート２４にポリエチレンまたはポリエチレンとポリプロピレンの複合密閉シート２５を取り付けた場合に付いて示す。飾り箱１６の保護板１７の端の部分の周囲に接着剤１３を付けてこの接着剤１３に前記ナイロンをコーティングしたポリエチレンシートのナイロン面を接着固定する。この固定シート２４の反対側のポリエチレン面にポリエチレンまたはポリエチレンとポリプロピレンの複合密閉シート２５を熱圧着接合して取り付け飾り箱の内部を密閉構造とする。
【００１２】  本発明の密閉構造部は、保護板の端の部分にポリエチレンシートにナイロンをコーティングした複合固定シートのナイロン面を接着固定して、この固定シートに、ポリエチレンまたはポリエチレンとポリプロピレンの複合密閉シートに熱圧着接合するわけであるが、熱圧着はシーラーを利用すればよく、熱圧着可能な温度を発生するものであればアイロンを使用してもよく、特に設備を限定するものではない。
【００１３】  また、本発明の額縁や飾り箱は、絵画、書、写真、押し花、ドライフラワー、貴金属等を包囲体で形成された密閉空間に入れて保存するものである。そのため、密閉空間を形成する包囲体のシート部はポリエチレン、ポリプロピレン、またはそれらの複合シートさらにポリエチレンにナイロンがコーティングされたもの等が多く使用されており、その特性は接着が困難な難接着性素材である。またガラス板、アクリル板、ポリカーボネイト板も接着が困難な素材である。
【００１４】  この、難接着性シートと薄いガラス板、アクリル板、ポリカーボネイト板とを効率よく接合する密閉構造であり、その使用範囲も特に、額縁や飾り箱に限定するものではなく、シートと板の接合構造に使用できるものである。また、この接合構造を利用すれば材質をとくに選ばず金属、非金属の薄板とポリエチレンまたはポリエチレンとポリプロピレン等の難接着性シート材の接合に応用できる。
【００１５】  尚、密閉シートは、その形状は特に限定するものではなく、袋状の包囲体、上部にチャックを設けた袋、または、上部が開放した筒状のものでもよく、内部に絵画、書、版画、写真等の美術品やドライフラワーや押し花等を入れて密閉出来る構造であればどのような形状でも好い。また、密閉構造部には開閉部を有しても好く、内部のガスを吸引したり不活性ガスを供給するためのノズルを設けたものでも好い。
【発明の効果】
【００１６】  本発明は、以上説明したように構成されているので、以下に記載されるような効果を奏する。
【００１７】  従来は接着困難とされている難接着性のポリエチレンやポリプロピレンまたはそれらの複合材を薄いガラス製保護板、アクリル製保護板やポリカーボネイト製保護板に熱圧着接合で取り付けて固定することができる。
【００１８】  また、接合部の強度が充分確保されるため作品の出し入れに際して保護板と密閉シートの剥がれを未然に防ぐことができる。
【００１９】  更に、接合部が綺麗に仕上がり、従来の接着材接合にみられる接合部での接着剤の凹凸、ばらつき、はみ出し等の問題がなくなる。
【００２０】  取り付けに際して個人差が生じないため、製品の安定度、信頼度が高まる。
【００２１】  取り付けに際して、従来の接着剤接合を使用しないため作業上の安全が図られる。
【００２２】  また、従来の接着剤接合に比較して寸法上ほとんど差がない。
【００２３】  また、製作に要する時間が大幅に短縮できるため、製品製造コストの低減が可能となる。
【００２４】  また、接合度が向上するため密閉部の気密性の向上が図れる。
【００２５】  密閉シートと保護板の接合が熱圧着接合のため、従来の接着剤接合のように、取り付けた後で乾燥養生時間を必要とせず、すぐに使用できる。
【図面の簡単な説明】
【００２６】
【図１】密閉構造部に絵画を収め額縁の枠に入れた密閉式額縁の断面図である。
【図２】接着剤に密閉シートを取り付けた密閉構造部の詳細断面図である。
【図３】保護板に接着剤を付けて密閉シートを固定した密閉式飾り箱の実施例である。
【符号の説明】
【００２７】１、１７  保護板
３、２５  密閉シート
１４、２４  固定シート
１５  熱圧着接合部
６    額縁の枠
７    裏蓋
８    絵画、書、版画等
１３  接着剤
１４  固定シート
１６  飾り箱
２６  蓋
【図１】
0004543660.tif 000002
【図２】
0004543660.tif 000003
【図３】
0004543660.tif 000004